(57)【要約】　　　（修正有）【課題】片面がハードウェア故障で検査が出来なくても、もう一方の面で検査を継続できるオフセット輪転印刷機用検査装置を提供する。【解決手段】印刷物（１４）の表紙面（１４ａ）を検査するための第１検査部（２３）と、印刷物（１４）の裏紙面（１４ｂ）を検査するための第２検査部（２４）を設け、第１検査部（２３）と第２検査部（２４）を互いに別個独立に構成し、第１検査部（２３）と第２検査部（２４）のうちの一方の検査部が故障した際に、他方の検査部が印刷物（１４）を検査する構成したことを特徴とするオフセット輪転印刷機用検査装置。【選択図】　図２
2004034629.tif 000002
【特許請求の範囲】
【請求項１】
印刷物（１４）の表紙面（１４ａ）を検査するための第１検査部（２３）と、印刷物（１４）の裏紙面（１４ｂ）を検査するための第２検査部（２４）を設け、第１検査部（２３）と第２検査部（２４）を互いに別個独立に構成し、第１検査部（２３）と第２検査部（２４）の両方が故障した場合にのみ検査を停止し、それらのうちの一方の検査部が故障した場合には、他方の検査部で印刷物（１４）の検査を続行する構成したことを特徴とするオフセット輪転印刷機用検査装置。
【請求項２】
第１検査部（２３）と第２検査部（２４）の各々に、印刷物（１４）の画像データを取り込むためのキャプチャ基板（４０、４４）を設けたことを特徴とする請求項１に記載のオフセット輪転印刷機用検査装置。
【請求項３】
第１検査部（２３）と第２検査部（２４）の各々に、取り込まれた画像データを処理するための処理基板（４２、４６）を設けたことを特徴とする請求項１又は２に記載のオフセット輪転印刷機用検査装置。
【発明の詳細な説明】
【０００１】
【発明の属する技術分野】
この発明は、オフセット輪転印刷機に用いられる検査装置に関する。
【０００２】
【従来の技術】
オフセット輪転印刷では、印刷物（ロール紙）の表面と裏面に対し、同時に印刷を行うことが多い。
【０００３】
また、オフセット輪転印刷で使用されるロール紙には、教科書や新聞織り込みチラシ等、比較的薄手の紙が用いられる。
【０００４】
印刷工程に於いては、印刷物の紙面属性に依存しない印刷機トラブル（例：印刷機の油たれ）が時として発生する。これにより生じた印刷不良は、両紙面（表面、裏面）にその影響が出ることが多い。
【０００５】
両紙面ともに影響が出る理由は、オフセット輪転印刷で用いられる紙の厚みが、比較的薄手の紙だからである。
【０００６】
【発明が解決しようとする課題】
従来のオフセット輪転印刷機用検査装置においては、印刷物の両面を検査することを目的としている。
【０００７】
そのため、印刷部の片面にのみ小さなトラブルが生じた場合でも、両面の検査を停止する。
【０００８】
紙面の表面か裏面のいずれかを検査していくことが十分可能なケースであっても、印刷検出を全体的にストップすることが多い。
【０００９】
そこで本発明は、片面がハードウェア故障で検査が出来なくても、もう一方の面で検査を継続することで上記に挙げたような印刷不良を検出し、事故を未然に防ぐことができるオフセット輪転印刷機に用いられる検査装置を提供することを目的としている。
【００１０】
【課題を解決するための手段】
本発明の課題を解決するための手段を例示すると、以下のとおりである。
【００１１】
（１）　印刷物（１４）の表紙面（１４ａ）を検査するための第１検査部（２３）と、印刷物（１４）の裏紙面（１４ｂ）を検査するための第２検査部（２４）を設け、第１検査部（２３）と第２検査部（２４）を互いに別個独立に構成し、第１検査部（２３）と第２検査部（２４）の両方が故障した場合にのみ検査を停止し、それらのうちの一方の検査部が故障した場合には、他方の検査部で印刷物（１４）の検査を続行する構成したことを特徴とするオフセット輪転印刷機用検査装置。
【００１２】
（２）　第１検査部（２３）と第２検査部（２４）の各々に印刷物（１４）の画像データを取り込むためのキャプチャ基板（４０、４４）を設けたことを特徴とする前述のオフセット輪転印刷機用検査装置。
【００１３】
（３）　第１検査部（２３）と第２検査部（２４）の各々に、取り込まれた画像データを処理するための処理基板（４２、４６）を設けたことを特徴とする前述のオフセット輪転印刷機用検査装置。
【００１４】
【発明の実施の形態】
本発明の好適な実施形態においては、印刷物としてロール紙が用いられる。ロール紙の表紙面と裏紙面を検査するのが好ましい。
【００１５】
好ましくは、第１検査部と第２検査部は、装置全体の操作機能及び処理機能を有する部分（以下の実施例では本体）内に、別個独立に構成される。第１検査部と第２検査部は、装置全体の操作機能及び処理機能を有する部分とは別に設けても良い。
【００１６】
例えば、第１検査部と第２検査部のうちの一方の検査部の故障は、その一方の検査部に設けられたキャプチャ基板の故障である。この場合、他方の検査部にもキャプチャ基板を設け、印刷物の画像データを継続して取り込みできるようにする。
【００１７】
例えば、第１検査部と第２検査部のうちの一方の検査部の故障は、その一方の検査部に設けられた処理基板の故障である。この場合、他方の検査部にも処理基板を設け、取り込まれた印刷物の画像データを継続して処理できるようにする。
【００１８】
【実施例】
以下、図面を参照して本発明の実施例を説明する。
【００１９】
図１は、本発明によるオフセット輪転印刷機用検査装置の一例を示す概念図である。
【００２０】
検査装置１０は、主にオフセット輪転印刷機１２と検査システム２０を有している。
【００２１】
オフセット輪転印刷機１２には、本発明の印刷物の典型例としてのロール紙１４が設定されている。ロール紙１４は、版胴を有する印刷部から巻取り部（図示省略）へ矢印Ｘ方向に搬送されている。ロール紙１４には、絵柄１６がＸ方向に連続的に印刷されている。
【００２２】
検査システム２０は、本体２２、第１センサー部２６、第２センサー部２７、シーケンサー２８及び表示装置３０を有している。
【００２３】
ロール紙１４の表面側には、第１センサー部２６が設定されている。第１センサー部２６は、本体２２に接続されており、ロール紙１４の表面を検査するために用いられる。
【００２４】
ロール紙１４の裏面側には、第２センサー部２７が設定されている。第２センサー部２７は、本体２２に接続されており、ロール紙１４の裏面を検査するために用いられる。
【００２５】
本体２２は、装置全体を操作して検査内容を処理する機能と、操作内容を表示する表示部の機能を有している。
【００２６】
本体２２には、シーケンサー２８が接続されている。シーケンサー２８は、予め設定された順序によって装置の動きを自動的に制御するものである。
【００２７】
シーケンサー２８には、表示装置３０が接続されている。表示装置３０は、エラー警告等を表示するためのものである。
【００２８】
図２には、本体２２内部の主要部とその付近の構成が概略的に示されている。
【００２９】
本体２２は、第１検査部２３と、第２検査部２４を有している。
【００３０】
第１検査部２３は、第１センサー部２６に接続している。第１検査部２３は、ロール紙１４の表紙面を検査するのに用いられる。第１検査部２３の内部には、例えば画像データの取り込み及び処理のための基板が設けられる
第２検査部２４は、第２センサー部２７に接続している。第２検査部２４は、ロール紙１４の裏紙面を検査するのに用いられる。第２検査部２４の内部には、例えば画像データの取り込み及び処理のための基板が設けられる。
【００３１】
第１検査部２３と第２検査部２４は、互いに別個独立に（セパレートして）構成されている。すなわち、第１検査部２３が故障して表紙面の検査が出来なくても、第２検査部２４が裏紙面の検査を継続する。あるいは、第２検査部２４が故障して裏紙面の検査が出来なくても、第１検査部２３が表紙面の検査を継続する。
【００３２】
図３は、第２検査部２４が故障した場合に、表示装置３０に表示される故障状態を示す画面３２の一例である。
【００３３】
第１検査部２３は、画面３２上にその構成が示されているが、キャプチャ基板４０と処理基板４２を有している。
【００３４】
キャプチャ基板４０は、ロール紙１４の表紙面の画像データを取り込むのに用いられる。
【００３５】
処理基板４２は、取り込まれた画像データを処理するのに用いられる。
【００３６】
第２検査部２４は、画面３２上にその構成が示されているが、キャプチャ基板４４と処理基板４６を有している。
【００３７】
キャプチャ基板４４は、ロール紙１４の裏紙面の画像データを取り込むのに用いられる。
【００３８】
処理基板４６は、取り込まれた画像データを処理するのに用いられる。
【００３９】
また、本体２２には、画面３２上にその構成が示されているが、表紙面と裏紙面の画像データを入出力するためのＩ／Ｏ基板４８が設けられている。なお、Ｉ／Ｏ基板４８は紙面共通として設けるのが好ましいが、第１検査部２３と第２検査部２４のそれぞれに設けてもよい。
【００４０】
第１検査部２３と第２検査部２４は、別個独立に（セパレートして）構成されている。
【００４１】
図中に×印で示したように、第２検査部２４のキャプチャ基板４４と処理基板４６が故障して裏紙面の検査が出来なくても、第１検査部２３のキャプチャ基板４０と処理基板４２が表紙面の検査を継続する。
【００４２】
図４は、第２検査部２４の１部が故障した場合に、表示装置３０に表示される故障状態を示す画面３２１の一例である。
【００４３】
図中に×印で示したように、第２検査部２４のキャプチャ基板４４が故障して裏紙面の検査が出来なくても、第１検査部２３のキャプチャ基板４０と処理基板４２が表紙面の検査を継続する。
【００４４】
図５は、第２検査部２４の１部が故障した場合に、表示装置３０に表示される故障状態を示す画面３２２の別の例である。
【００４５】
図中に×印で示したように、第２検査部２４の処理基板４６が故障して裏紙面の検査が出来なくても、第１検査部２３のキャプチャ基板４０と処理基板４２が表紙面の検査を継続する。
【００４６】
図６は、第１検査部２３が故障した場合に、表示装置３０に表示される故障状態を示す画面３２３の一例である。
【００４７】
図中に×印で示したように、第１検査部２３のキャプチャ基板４０と処理基板４２が故障して表紙面の検査が出来なくても、第２検査部２４のキャプチャ基板４４と処理基板４６が裏紙面の検査を継続する。
【００４８】
図７は、第１検査部２３の１部が故障した場合に、表示装置３０に表示される故障状態を示す画面３２４の一例である。
【００４９】
図中に×印で示したように、第１検査部２３のキャプチャ基板４０が故障して表紙面の検査が出来なくても、第２検査部２４のキャプチャ基板４４と処理基板４６が裏紙面の検査を継続する。
【００５０】
図８は、第１検査部２３の１部が故障した場合に、表示装置３０に表示される故障状態を示す画面３２５の別の例である。
【００５１】
図中に×印で示したように、第１検査部２３の処理基板４０が故障して表紙面の検査が出来なくても、第２検査部２４のキャプチャ基板４４と処理基板４６が裏紙面の検査を継続する。
【００５２】
【発明の効果】
本発明によれば、印刷物の表紙面と裏紙面を別個独立に検査する構成にしたので、片方がハードウェア故障で検査出来なくても、もう一方の面で検査を継続することができる。これにより、印刷紙面の印刷不良を検出でき、事故を未然に防ぐことが出来る。
【００５３】
また、第１検査部と第２検査部の各々にキャプチャ基板を設ける構成にすれば、一方のキャプチャ基板が故障しても他方のキャプチャ基板が継続して印刷物の画像データを取り込むことができる。
【００５４】
また、第１検査部と第２検査部の各々に処理基板を設ける構成にすれば、一方の処理基板が故障しても他方の処理基板が継続して取り込まれた印刷物の画像データを処理することができる。
【００５５】
なお、本発明は図示された実施例に限定されない。検査部の構成は任意である。それぞれの検査部には、キャプチャ基板や処理基板の他、Ｉ／Ｏ基板等種々の基板や装置を設けることができる。
【図面の簡単な説明】
【図１】本発明によるオフセット輪転印刷機用検査装置の一例を示す概念図。
【図２】本体内部の主要部とその付近の構成の一例を示す概略図。
【図３】第２検査部の故障時に表示装置に表示される画面の一例を示す。
【図４】第２検査部の故障時に表示装置に表示される画面の別の例を示す。
【図５】第２検査部の故障時に表示装置に表示される画面の更に別の例を示す。
【図６】第１検査部の故障時に表示装置に表示される画面の一例を示す。
【図７】第１検査部の故障時に表示装置に表示される画面の別の例を示す。
【図８】第１検査部の故障時に表示装置に表示される画面の更に別の例を示す。
【符号の説明】
１０　オフセット輪転印刷機用検査装置
１２　オフセット輪転印刷機
１４　ロール紙
１６　絵柄
２０　検査システム
２２　本体
２３　第１検査部
２４　第２検査部
２６　第１センサー部
２７　第２センサー部
２８　シーケンサー
３０　表示装置
３２　画面
４０，４４　キャプチャ基板
４２、４６　処理基板
４８　Ｉ／Ｏ基板
【図１】
2004034629.tif 000003
【図２】
2004034629.tif 000004
【図３】
2004034629.tif 000005
【図４】
2004034629.tif 000006
【図５】
2004034629.tif 000007
【図６】
2004034629.tif 000008
【図７】
2004034629.tif 000009
【図８】
2004034629.tif 000010